【手続補正書】
【提出日】平成29年6月23日(2017.6.23)
【手続補正１】
【補正対象書類名】特許請求の範囲
【補正対象項目名】全文
【補正方法】変更
【補正の内容】
【特許請求の範囲】
【請求項１】
筒状に形成されているハウジング（３０）内に配置されて、前記ハウジングに固定されている固定部材（１２）と、前記固定部材に対して変位して低圧冷媒を吸入して圧縮して高圧冷媒を吐出する可動部材（１１）とを有する圧縮機構（１０）と、
管状に形成されて前記ハウジングの外側と前記圧縮機構との間を連通する流路をそれぞれ有する複数の外部接続管（３１０〜３１３）と、を備え、
前記複数の外部接続管は、前記ハウジングの外側からの前記低圧冷媒を前記圧縮機構に供給する前記流路を形成する第１外部接続管（３１０）と、前記圧縮機構から吐出される前記高圧冷媒を前記ハウジングの外側に導く前記流路を形成する第２外部接続管（３１２）とを少なくも有し、前記複数の外部接続管の総数は、偶数であり、
前記圧縮機構は、前記可動部材が前記固定部材に対して旋回することにより、前記固定部材とともに前記低圧冷媒を吸入して圧縮して高圧冷媒を吐出するスクロール型の圧縮機構であり、
前記ハウジングには、前記ハウジングの内側と外側との間を貫通する複数の貫通孔（３００〜３０３）が設けられ、
前記固定部材には、複数の孔部（１２８、１２１ａ、１２４、１２９）を形成する複数の孔形成部（１２８ａ、１２１ｂ、１２４ａ、１２９ｂ）が設けられている圧縮機の製造方法であって、
前記ハウジング内に前記圧縮機構を配置する配置工程（Ｓ１１０）と、
前記複数の外部接続管を前記ハウジングの外側から前記複数の貫通孔のうち対応する貫通孔内に貫通して前記固定部材の複数の孔部のうち対応する孔部に圧入して嵌め込むことにより、前記ハウジングの軸線方向から視て前記複数の外部接続管のうちいずれか２つの外部接続管の軸線（Ｔ１〜Ｔ４）が前記ハウジングの軸線（Ｓ）を中心として点対称になるように前記複数の外部接続管を配置して、前記対応する孔部を形成する前記孔形成部および前記外部接続管のうちいずれか一方から他方に力を与えて前記他方を弾性変形させて、当該孔形成部および前記外部接続管の間を前記外部接続管毎に密閉させるシール工程（Ｓ１２０）と、を備えることを特徴とする圧縮機の製造方法。
【請求項２】
筒状に形成されているハウジング（３０）内に配置されて、前記ハウジングに固定されている固定部材（１２）と、前記固定部材に対して変位して低圧冷媒を吸入して圧縮して高圧冷媒を吐出する可動部材（１１）とを有する圧縮機構（１０）と、
管状に形成されて前記ハウジングの外側と前記圧縮機構との間を連通する流路をそれぞれ有する複数の外部接続管（３１０〜３１３）と、を備え、
前記複数の外部接続管は、前記ハウジングの外側からの前記低圧冷媒を前記圧縮機構に供給する前記流路を形成する第１外部接続管（３１０）と、前記圧縮機構から吐出される前記高圧冷媒を前記ハウジングの外側に導く前記流路を形成する第２外部接続管（３１２）とを少なくも有し、前記複数の外部接続管の総数は、偶数であり、
前記第２外部接続管から流れる高圧冷媒から潤滑オイルを分離する潤滑オイル分離機構（４０）を備え、
前記複数の外部接続管は、前記第１、第２の外部接続管以外に、前記潤滑オイル分離機構によって前記高圧冷媒から分離された潤滑オイルを前記圧縮機構に供給する前記流路を形成する第３外部接続管（３１３）を少なくも有して構成されて、
前記ハウジングの軸線方向から視て前記第１外部接続管の軸線（Ｔ１）と前記第３外部接続管の軸線（Ｔ４）とが９０度以上の角度で交差するように前記第１外部接続管と前記第３外部接続管とが配置されており、
前記ハウジングには、前記ハウジングの内側と外側との間を貫通する複数の貫通孔（３００〜３０３）が設けられ、
前記固定部材には、複数の孔部（１２８、１２１ａ、１２４、１２９）を形成する複数の孔形成部（１２８ａ、１２１ｂ、１２４ａ、１２９ｂ）が設けられている圧縮機の製造方法であって、
前記ハウジング内に前記圧縮機構を配置する配置工程（Ｓ１１０）と、
前記複数の外部接続管を前記ハウジングの外側から前記複数の貫通孔のうち対応する貫通孔内に貫通して前記固定部材の複数の孔部のうち対応する孔部に圧入して嵌め込むことにより、前記ハウジングの軸線方向から視て前記複数の外部接続管のうちいずれか２つの外部接続管の軸線（Ｔ１〜Ｔ４）が前記ハウジングの軸線（Ｓ）を中心として点対称になるように前記複数の外部接続管を配置して、前記対応する孔部を形成する前記孔形成部および前記外部接続管のうちいずれか一方から他方に力を与えて前記他方を弾性変形させて、当該孔形成部および前記外部接続管の間を前記外部接続管毎に密閉させるシール工程（Ｓ１２０）と、を備えることを特徴とする圧縮機の製造方法。
【請求項３】
筒状に形成されているハウジング（３０）内に配置されて、前記ハウジングに固定されている固定部材（１２）と、前記固定部材に対して変位して低圧冷媒を吸入して圧縮して高圧冷媒を吐出する可動部材（１１）とを有する圧縮機構（１０）と、
管状に形成されて前記ハウジングの外側と前記圧縮機構との間を連通する流路をそれぞれ有する複数の外部接続管（３１０〜３１３）と、を備え、
前記複数の外部接続管は、前記ハウジングの外側からの前記低圧冷媒を前記圧縮機構に供給する前記流路を形成する第１外部接続管（３１０）と、前記圧縮機構から吐出される前記高圧冷媒を前記ハウジングの外側に導く前記流路を形成する第２外部接続管（３１２）とを少なくも有し、前記複数の外部接続管の総数は、偶数であり、
前記圧縮機構は、前記可動部材が前記固定部材に対して旋回することにより、前記固定部材とともに前記低圧冷媒を吸入して圧縮して高圧冷媒を吐出するスクロール型の圧縮機構であり、
前記第２外部接続管から流れる高圧冷媒から潤滑オイルを分離する潤滑オイル分離機構（４０）を備え、
前記複数の外部接続管は、前記第１、第２の外部接続管以外に、前記潤滑オイル分離機構によって前記高圧冷媒から分離された潤滑オイルを前記圧縮機構に供給する前記流路を形成する第３外部接続管（３１３）を少なくも有して構成されて、
前記ハウジングの軸線方向から視て前記第１外部接続管の軸線（Ｔ１）と前記第３外部接続管の軸線（Ｔ４）とが９０度以上の角度で交差するように前記第１外部接続管と前記第３外部接続管と配置されており、
前記ハウジングには、前記ハウジングの内側と外側との間を貫通する複数の貫通孔（３００〜３０３）が設けられ、
前記固定部材には、複数の孔部（１２８、１２１ａ、１２４、１２９）を形成する複数の孔形成部（１２８ａ、１２１ｂ、１２４ａ、１２９ｂ）が設けられている圧縮機の製造方法であって、
前記ハウジング内に前記圧縮機構を配置する配置工程（Ｓ１１０）と、
前記複数の外部接続管を前記ハウジングの外側から前記複数の貫通孔のうち対応する貫通孔内に貫通して前記固定部材の複数の孔部のうち対応する孔部に圧入して嵌め込むことにより、前記ハウジングの軸線方向から視て前記複数の外部接続管のうちいずれか２つの外部接続管の軸線（Ｔ１〜Ｔ４）が前記ハウジングの軸線（Ｓ）を中心として点対称になるように前記複数の外部接続管を配置して、前記対応する孔部を形成する前記孔形成部および前記外部接続管のうちいずれか一方から他方に力を与えて前記他方を弾性変形させて、当該孔形成部および前記外部接続管の間を前記外部接続管毎に密閉させるシール工程（Ｓ１２０）と、を備えることを特徴とする圧縮機の製造方法。
【請求項４】
筒状に形成されているハウジング（３０）内に配置されて、前記ハウジングに固定されている固定部材（１２）と、前記固定部材に対して変位して低圧冷媒を吸入して圧縮して高圧冷媒を吐出する可動部材（１１）とを有する圧縮機構（１０）と、
管状に形成されて前記ハウジングの外側と前記圧縮機構との間を連通する流路をそれぞれ有する複数の外部接続管（３１０〜３１４）と、を備え、
前記複数の外部接続管は、前記ハウジングの外側からの前記低圧冷媒を前記圧縮機構に供給する前記流路を形成する第１外部接続管（３１０）と、前記圧縮機構から吐出される前記高圧冷媒を前記ハウジングの外側に導く前記流路を形成する第２外部接続管（３１２）とを少なくも有し、前記複数の外部接続管の総数は、奇数であり、
前記圧縮機構は、前記可動部材が前記固定部材に対して旋回することにより、前記固定部材とともに前記低圧冷媒を吸入して圧縮して高圧冷媒を吐出するスクロール型の圧縮機構であり、
前記ハウジングには、前記ハウジングの内側と外側との間を貫通する複数の貫通孔（３００〜３０４）が設けられ、
前記固定部材には、複数の孔部（１２８、１２１ａ、１２４、１２９、７０）を形成する複数の孔形成部（１２８ａ、１２１ｂ、１２４ａ、１２９ｂ、７０ａ）が設けられている圧縮機の製造方法であって、
前記ハウジング内に前記圧縮機構を配置する配置工程（Ｓ１１０）と、
前記複数の外部接続管を前記ハウジングの外側から前記複数の貫通孔のうち対応する貫通孔に貫通して前記固定部材の複数の孔部のうち対応する孔部に圧入して嵌め込むことにより、前記ハウジングの軸線方向から視て前記複数の外部接続管の軸線（Ｔ１〜Ｔ５）が前記ハウジングの軸線（Ｓ）を中心とする円周方向に等間隔に並ぶように前記複数の外部接続管を配置して、前記対応する孔部を形成する前記孔形成部および前記外部接続管のうちいずれか一方から他方に力を与えて前記他方を弾性変形させて、当該孔形成部および前記外部接続管の間を前記外部接続管毎に密閉させるシール工程（Ｓ１２０）と、を備えることを特徴とする圧縮機の製造方法。
【請求項５】
筒状に形成されているハウジング（３０）内に配置されて、前記ハウジングに固定されている固定部材（１２）と、前記固定部材に対して変位して低圧冷媒を吸入して圧縮して高圧冷媒を吐出する可動部材（１１）とを有する圧縮機構（１０）と、
管状に形成されて前記ハウジングの外側と前記圧縮機構との間を連通する流路をそれぞれ有する複数の外部接続管（３１０〜３１４）と、を備え、
前記複数の外部接続管は、前記ハウジングの外側からの前記低圧冷媒を前記圧縮機構に供給する前記流路を形成する第１外部接続管（３１０）と、前記圧縮機構から吐出される前記高圧冷媒を前記ハウジングの外側に導く前記流路を形成する第２外部接続管（３１２）とを少なくも有し、前記複数の外部接続管の総数は、奇数であり、
前記第２外部接続管から流れる高圧冷媒から潤滑オイルを分離する潤滑オイル分離機構（４０）を備え、
前記複数の外部接続管は、前記第１、第２の外部接続管以外に、前記潤滑オイル分離機構によって前記高圧冷媒から分離された潤滑オイルを前記圧縮機構に供給する前記流路を形成する第３外部接続管（３１３）を少なくも有して構成されて、
前記ハウジングの軸線方向から視て前記第１外部接続管の軸線（Ｔ１）と前記第３外部接続管の軸線（Ｔ４）とが９０度以上の角度で交差するように前記第１外部接続管と前記第３外部接続管とが配置されており、
前記ハウジングには、前記ハウジングの内側と外側との間を貫通する複数の貫通孔（３００〜３０４）が設けられ、
前記固定部材には、複数の孔部（１２８、１２１ａ、１２４、１２９、７０）を形成する複数の孔形成部（１２８ａ、１２１ｂ、１２４ａ、１２９ｂ、７０ａ）が設けられている圧縮機の製造方法であって、
前記ハウジング内に前記圧縮機構を配置する配置工程（Ｓ１１０）と、
前記複数の外部接続管を前記ハウジングの外側から前記複数の貫通孔のうち対応する貫通孔に貫通して前記固定部材の複数の孔部のうち対応する孔部に圧入して嵌め込むことにより、前記ハウジングの軸線方向から視て前記複数の外部接続管の軸線（Ｔ１〜Ｔ５）が前記ハウジングの軸線（Ｓ）を中心とする円周方向に等間隔に並ぶように前記複数の外部接続管を配置して、前記対応する孔部を形成する前記孔形成部および前記外部接続管のうちいずれか一方から他方に力を与えて前記他方を弾性変形させて、当該孔形成部および前記外部接続管の間を前記外部接続管毎に密閉させるシール工程（Ｓ１２０）と、を備えることを特徴とする圧縮機の製造方法。
【請求項６】
筒状に形成されているハウジング（３０）内に配置されて、前記ハウジングに固定されている固定部材（１２）と、前記固定部材に対して変位して低圧冷媒を吸入して圧縮して高圧冷媒を吐出する可動部材（１１）とを有する圧縮機構（１０）と、
管状に形成されて前記ハウジングの外側と前記圧縮機構との間を連通する流路をそれぞれ有する複数の外部接続管（３１０〜３１４）と、を備え、
前記複数の外部接続管は、前記ハウジングの外側からの前記低圧冷媒を前記圧縮機構に供給する前記流路を形成する第１外部接続管（３１０）と、前記圧縮機構から吐出される前記高圧冷媒を前記ハウジングの外側に導く前記流路を形成する第２外部接続管（３１２）とを少なくも有し、前記複数の外部接続管の総数は、奇数であり、
前記圧縮機構は、前記可動部材が前記固定部材に対して旋回することにより、前記固定部材とともに前記低圧冷媒を吸入して圧縮して高圧冷媒を吐出するスクロール型の圧縮機構であり、
前記第２外部接続管から流れる高圧冷媒から潤滑オイルを分離する潤滑オイル分離機構（４０）を備え、
前記複数の外部接続管は、前記第１、第２の外部接続管以外に、前記潤滑オイル分離機構によって前記高圧冷媒から分離された潤滑オイルを前記圧縮機構に供給する前記流路を形成する第３外部接続管（３１３）を少なくも有して構成されて、
前記ハウジングの軸線方向から視て前記第１外部接続管の軸線（Ｔ１）と前記第３外部接続管の軸線（Ｔ４）とが９０度以上の角度で交差するように前記第１外部接続管と前記第３外部接続管とが配置されており、
前記ハウジングには、前記ハウジングの内側と外側との間を貫通する複数の貫通孔（３００〜３０４）が設けられ、
前記固定部材には、複数の孔部（１２８、１２１ａ、１２４、１２９、７０）を形成する複数の孔形成部（１２８ａ、１２１ｂ、１２４ａ、１２９ｂ、７０ａ）が設けられている圧縮機の製造方法であって、
前記ハウジング内に前記圧縮機構を配置する配置工程（Ｓ１１０）と、
前記複数の外部接続管を前記ハウジングの外側から前記複数の貫通孔のうち対応する貫通孔に貫通して前記固定部材の複数の孔部のうち対応する孔部に圧入して嵌め込むことにより、前記ハウジングの軸線方向から視て前記複数の外部接続管の軸線（Ｔ１〜Ｔ５）が前記ハウジングの軸線（Ｓ）を中心とする円周方向に等間隔に並ぶように前記複数の外部接続管を配置して、前記対応する孔部を形成する前記孔形成部および前記外部接続管のうちいずれか一方から他方に力を与えて前記他方を弾性変形させて、当該孔形成部および前記外部接続管の間を前記外部接続管毎に密閉させるシール工程（Ｓ１２０）と、を備えることを特徴とする圧縮機の製造方法。
【請求項７】
筒状に形成されているハウジング（３０）と、
前記ハウジング内に配置されて、前記ハウジングに固定されている固定部材（１２）と、前記固定部材に対して変位して低圧冷媒を吸入して圧縮して高圧冷媒を吐出する可動部材（１１）とを有する圧縮機構（１０）と、
管状に形成されて前記ハウジングの外側と前記圧縮機構との間を連通する流路をそれぞれ有する複数の外部接続管（３１０〜３１３）と、を備え、
前記複数の外部接続管は、前記ハウジングの外側からの前記低圧冷媒を前記圧縮機構に供給する前記流路を形成する第１外部接続管（３１０）と、前記圧縮機構から吐出される前記高圧冷媒を前記ハウジングの外側に導く前記流路を形成する第２外部接続管（３１２）とを少なくも有し、前記複数の外部接続管の総数は、偶数であり、
前記圧縮機構は、前記可動部材が前記固定部材に対して旋回することにより、前記固定部材とともに前記低圧冷媒を吸入して圧縮して高圧冷媒を吐出するスクロール型の圧縮機構であり、
前記ハウジングには、前記ハウジングの内側と外側との間を貫通する複数の貫通孔（３００〜３０３）が設けられ、
前記固定部材には、複数の孔部（１２８、１２１ａ、１２４、１２９）を形成する複数の孔形成部（１２８ａ、１２１ｂ、１２４ａ、１２９ｂ）が設けられ、
前記複数の外部接続管は、前記複数の貫通孔のうち対応する貫通孔内に貫通して前記固定部材の複数の孔部のうち対応する孔部に嵌め込まれた状態で、前記ハウジングの軸線方向から視て前記複数の外部接続管のうちいずれか２つの外部接続管の軸線（Ｔ１〜Ｔ４）が前記ハウジングの軸線（Ｓ）を中心として点対称になるように前記複数の外部接続管が配置されて、前記対応する孔部を形成する前記孔形成部および前記外部接続管のうちいずれか一方が他方に弾性力を与えることにより、当該孔形成部および前記外部接続管の間を前記外部接続管毎に密閉するシール機構を形成していることを特徴とする圧縮機。
【請求項８】
筒状に形成されているハウジング（３０）と、
前記ハウジング内に配置されて、前記ハウジングに固定されている固定部材（１２）と、前記固定部材に対して変位して低圧冷媒を吸入して圧縮して高圧冷媒を吐出する可動部材（１１）とを有する圧縮機構（１０）と、
管状に形成されて前記ハウジングの外側と前記圧縮機構との間を連通する流路をそれぞれ有する複数の外部接続管（３１０〜３１４）と、を備え、
前記複数の外部接続管は、前記ハウジングの外側からの前記低圧冷媒を前記圧縮機構に供給する前記流路を形成する第１外部接続管（３１０）と、前記圧縮機構から吐出される前記高圧冷媒を前記ハウジングの外側に導く前記流路を形成する第２外部接続管（３１２）とを少なくも有し、前記複数の外部接続管の総数は、奇数であり、
前記圧縮機構は、前記可動部材が前記固定部材に対して旋回することにより、前記固定部材とともに前記低圧冷媒を吸入して圧縮して高圧冷媒を吐出するスクロール型の圧縮機構であり、
前記ハウジングには、前記ハウジングの内側と外側との間を貫通する複数の貫通孔（３００〜３０４）が設けられ、
前記固定部材には、複数の孔部（１２８、１２１ａ、１２４、１２９、７０）を形成する複数の孔形成部（１２８ａ、１２１ｂ、１２４ａ、１２９ｂ、７０ａ）が設けられ、
前記複数の外部接続管が前記ハウジングの外側から前記複数の貫通孔のうち対応する貫通孔に貫通して前記固定部材の複数の孔部のうち対応する孔部に嵌め込まれた状態で、前記ハウジングの軸線方向から視て前記複数の外部接続管の軸線（Ｔ１〜Ｔ５）が前記ハウジングの軸線（Ｓ）を中心とする円周方向に等間隔に並ぶように前記複数の外部接続管が配置されて、前記対応する孔部を形成する前記孔形成部および前記外部接続管のうちいずれか一方が他方に弾性力を与えることにより、当該孔形成部および前記外部接続管の間を前記外部接続管毎に密閉するシール機構を形成していることを特徴とする圧縮機。
【請求項９】
前記ハウジングの軸線方向から視て前記第１外部接続管の軸線（Ｔ１）と前記第２外部接続管の軸線（Ｔ３）とが９０度以上の角度で交差するように前記第１外部接続管と前記第２外部接続管とが配置されていることを特徴とする請求項７または８に記載の圧縮機。
【請求項１０】
前記第２外部接続管から流れる高圧冷媒から潤滑オイルを分離する潤滑オイル分離機構（４０）を備え、
前記複数の外部接続管は、前記第１、第２の外部接続管以外に、前記潤滑オイル分離機構によって前記高圧冷媒から分離された潤滑オイルを前記圧縮機構に供給する前記流路を形成する第３外部接続管（３１３）を少なくも有して構成されて、
前記ハウジングの軸線方向から視て前記第１外部接続管の軸線（Ｔ１）と前記第３外部接続管の軸線（Ｔ４）とが９０度以上の角度で交差するように前記第１外部接続管と前記第３外部接続管とが配置されていることを特徴とする請求項７ないし９のいずれか１つに記載の圧縮機。
【請求項１１】
筒状に形成されているハウジング（３０）と、
前記ハウジング内に配置されて、前記ハウジングに固定されている固定部材（１２）と、前記固定部材に対して変位して低圧冷媒を吸入して圧縮して高圧冷媒を吐出する可動部材（１１）とを有する圧縮機構（１０）と、
管状に形成されて前記ハウジングの外側と前記圧縮機構との間を連通する流路をそれぞれ有する複数の外部接続管（３１０〜３１３）と、を備え、
前記複数の外部接続管は、前記ハウジングの外側からの前記低圧冷媒を前記圧縮機構に供給する前記流路を形成する第１外部接続管（３１０）と、前記圧縮機構から吐出される前記高圧冷媒を前記ハウジングの外側に導く前記流路を形成する第２外部接続管（３１２）とを少なくも有し、
前記第２外部接続管から流れる高圧冷媒から潤滑オイルを分離する潤滑オイル分離機構（４０）を備え、
前記複数の外部接続管は、前記第１、第２の外部接続管以外に、前記潤滑オイル分離機構によって前記高圧冷媒から分離された潤滑オイルを前記圧縮機構に供給する前記流路を形成する第３外部接続管（３１３）を少なくも有して構成されて、
前記ハウジングの軸線方向から視て前記第１外部接続管の軸線（Ｔ１）と前記第３外部接続管の軸線（Ｔ４）とが９０度以上の角度で交差するように前記第１外部接続管と前記第３外部接続管とが配置されており、
前記複数の外部接続管の総数は、偶数であり、
前記ハウジングには、前記ハウジングの内側と外側との間を貫通する複数の貫通孔（３００〜３０３）が設けられ、
前記固定部材には、複数の孔部（１２８、１２１ａ、１２４、１２９）を形成する複数の孔形成部（１２８ａ、１２１ｂ、１２４ａ、１２９ｂ）が設けられ、
前記複数の外部接続管は、前記複数の貫通孔のうち対応する貫通孔内に貫通して前記固定部材の複数の孔部のうち対応する孔部に嵌め込まれた状態で、前記ハウジングの軸線方向から視て前記複数の外部接続管のうちいずれか２つの外部接続管の軸線（Ｔ１〜Ｔ４）が前記ハウジングの軸線（Ｓ）を中心として点対称になるように前記複数の外部接続管が配置されて、前記対応する孔部を形成する前記孔形成部および前記外部接続管のうちいずれか一方が他方に弾性力を与えることにより、当該孔形成部および前記外部接続管の間を前記外部接続管毎に密閉するシール機構を形成していることを特徴とする圧縮機。
【請求項１２】
筒状に形成されているハウジング（３０）と、
前記ハウジング内に配置されて、前記ハウジングに固定されている固定部材（１２）と、前記固定部材に対して変位して低圧冷媒を吸入して圧縮して高圧冷媒を吐出する可動部材（１１）とを有する圧縮機構（１０）と、
管状に形成されて前記ハウジングの外側と前記圧縮機構との間を連通する流路をそれぞれ有する複数の外部接続管（３１０〜３１４）と、を備え、
前記複数の外部接続管は、前記ハウジングの外側からの前記低圧冷媒を前記圧縮機構に供給する前記流路を形成する第１外部接続管（３１０）と、前記圧縮機構から吐出される前記高圧冷媒を前記ハウジングの外側に導く前記流路を形成する第２外部接続管（３１２）とを少なくも有し、
前記第２外部接続管から流れる高圧冷媒から潤滑オイルを分離する潤滑オイル分離機構（４０）を備え、
前記複数の外部接続管は、前記第１、第２の外部接続管以外に、前記潤滑オイル分離機構によって前記高圧冷媒から分離された潤滑オイルを前記圧縮機構に供給する前記流路を形成する第３外部接続管（３１３）を少なくも有して構成されて、
前記ハウジングの軸線方向から視て前記第１外部接続管の軸線（Ｔ１）と前記第３外部接続管の軸線（Ｔ４）とが９０度以上の角度で交差するように前記第１外部接続管と前記第３外部接続管とが配置されており、
前記複数の外部接続管の総数は、奇数であり、
前記ハウジングには、前記ハウジングの内側と外側との間を貫通する複数の貫通孔（３００〜３０４）が設けられ、
前記固定部材には、複数の孔部（１２８、１２１ａ、１２４、１２９、７０）を形成する複数の孔形成部（１２８ａ、１２１ｂ、１２４ａ、１２９ｂ、７０ａ）が設けられ、
前記複数の外部接続管が前記ハウジングの外側から前記複数の貫通孔のうち対応する貫通孔に貫通して前記固定部材の複数の孔部のうち対応する孔部に嵌め込まれた状態で、前記ハウジングの軸線方向から視て前記複数の外部接続管の軸線（Ｔ１〜Ｔ５）が前記ハウジングの軸線（Ｓ）を中心とする円周方向に等間隔に並ぶように前記複数の外部接続管が配置されて、前記対応する孔部を形成する前記孔形成部および前記外部接続管のうちいずれか一方が他方に弾性力を与えることにより、当該孔形成部および前記外部接続管の間を前記外部接続管毎に密閉するシール機構を形成していることを特徴とする圧縮機。 
【請求項１３】
前記冷媒は、二酸化炭素であることを特徴とする請求項７ないし１２のいずれか１つに記載の圧縮機。
【手続補正２】
【補正対象書類名】明細書
【補正対象項目名】００１０
【補正方法】変更
【補正の内容】
【００１０】
上記目的を達成するため、請求項１に記載の発明では、筒状に形成されているハウジング（３０）内に配置されて、ハウジングに固定されている固定部材（１２）と、固定部材に対して変位して低圧冷媒を吸入して圧縮して高圧冷媒を吐出する可動部材（１１）とを有する圧縮機構（１０）と、
管状に形成されてハウジングの外側と圧縮機構との間を連通する流路をそれぞれ有する複数の外部接続管（３１０〜３１３）と、を備え、
複数の外部接続管は、ハウジングの外側からの低圧冷媒を圧縮機構に供給する流路を形成する第１外部接続管（３１０）と、圧縮機構から吐出される高圧冷媒をハウジングの外側に導く流路を形成する第２外部接続管（３１２）とを少なくも有し、複数の外部接続管の総数は、偶数であり、
圧縮機構は、可動部材が固定部材に対して旋回することにより、固定部材とともに低圧冷媒を吸入して圧縮して高圧冷媒を吐出するスクロール型の圧縮機構であり、
ハウジングには、ハウジングの内側と外側との間を貫通する複数の貫通孔（３００〜３０３）が設けられ、
固定部材には、複数の孔部（１２８、１２１ａ、１２４、１２９）を形成する複数の孔形成部（１２８ａ、１２１ｂ、１２４ａ、１２９ｂ）が設けられている圧縮機の製造方法であって、
ハウジング内に圧縮機構を配置する配置工程（Ｓ１１０）と、
複数の外部接続管をハウジングの外側から複数の貫通孔のうち対応する貫通孔内に貫通して固定部材の複数の孔部のうち対応する孔部に圧入して嵌め込むことにより、ハウジングの軸線方向から視て複数の外部接続管のうちいずれか２つの外部接続管の軸線（Ｔ１〜Ｔ４）がハウジングの軸線（Ｓ）を中心として点対称になるように複数の外部接続管を配置して、対応する孔部を形成する孔形成部および外部接続管のうちいずれか一方から他方に力を与えて他方を弾性変形させて、当該孔形成部および外部接続管の間を外部接続管毎に密閉させるシール工程（Ｓ１２０）と、を備えることを特徴とする。
【手続補正３】
【補正対象書類名】明細書
【補正対象項目名】００１５
【補正方法】変更
【補正の内容】
【００１５】
請求項４に記載の発明では、筒状に形成されているハウジング（３０）内に配置されて、ハウジングに固定されている固定部材（１２）と、固定部材に対して変位して低圧冷媒を吸入して圧縮して高圧冷媒を吐出する可動部材（１１）とを有する圧縮機構（１０）と、
管状に形成されてハウジングの外側と圧縮機構との間を連通する流路をそれぞれ有する複数の外部接続管（３１０〜３１４）と、を備え、
複数の外部接続管は、ハウジングの外側からの低圧冷媒を圧縮機構に供給する流路を形成する第１外部接続管（３１０）と、圧縮機構から吐出される高圧冷媒をハウジングの外側に導く流路を形成する第２外部接続管（３１２）とを少なくも有し、複数の外部接続管の総数は、奇数であり、
圧縮機構は、可動部材が固定部材に対して旋回することにより、固定部材とともに低圧冷媒を吸入して圧縮して高圧冷媒を吐出するスクロール型の圧縮機構であり、
ハウジングには、ハウジングの内側と外側との間を貫通する複数の貫通孔（３００〜３０４）が設けられ、
固定部材には、複数の孔部（１２８、１２１ａ、１２４、１２９、７０）を形成する複数の孔形成部（１２８ａ、１２１ｂ、１２４ａ、１２９ｂ、７０ａ）が設けられている圧縮機の製造方法であって、
ハウジング内に圧縮機構を配置する配置工程（Ｓ１１０）と、
複数の外部接続管をハウジングの外側から複数の貫通孔のうち対応する貫通孔に貫通して固定部材の複数の孔部のうち対応する孔部に圧入して嵌め込むことにより、ハウジングの軸線方向から視て複数の外部接続管の軸線（Ｔ１〜Ｔ５）がハウジングの軸線（Ｓ）を中心とする円周方向に等間隔に並ぶように複数の外部接続管を配置して、対応する孔部を形成する孔形成部および外部接続管のうちいずれか一方から他方に力を与えて他方を弾性変形させて、当該孔形成部および外部接続管の間を外部接続管毎に密閉させるシール工程（Ｓ１２０）と、を備えることを特徴とする。
【手続補正４】
【補正対象書類名】明細書
【補正対象項目名】００１６
【補正方法】変更
【補正の内容】
【００１６】
請求項４に記載の発明によれば、複数の外部接続管の軸線（Ｔ１〜Ｔ５）をハウジングの軸線（Ｓ）を中心とする円周方向に等間隔に並ぶように複数の外部接続管を配置されている。このため、複数の外部接続管を固定部材の複数の孔部のうち対応する孔部に圧入する際、複数の外部接続管から固定部材に加わる荷重が相殺される。これにより、固定部材の位置ずれが生じることを抑えることができる。
【手続補正５】
【補正対象書類名】明細書
【補正対象項目名】００１７
【補正方法】変更
【補正の内容】
【００１７】
さらに、請求項４に記載の発明よれば、複数の外部接続管を固定部材の複数の孔部のうち対応する孔部に同時に圧入することにより、圧縮機の製造時の工数を減らすことができ、製造コストを削減することができる。
【手続補正６】
【補正対象書類名】明細書
【補正対象項目名】００１９
【補正方法】変更
【補正の内容】
【００１９】
請求項７に記載の発明では、筒状に形成されているハウジング（３０）と、
ハウジング内に配置されて、ハウジングに固定されている固定部材（１２）と、固定部材に対して変位して低圧冷媒を吸入して圧縮して高圧冷媒を吐出する可動部材（１１）とを有する圧縮機構（１０）と、
管状に形成されてハウジングの外側と圧縮機構との間を連通する流路をそれぞれ有する複数の外部接続管（３１０〜３１３）と、を備え、
複数の外部接続管は、ハウジングの外側からの低圧冷媒を圧縮機構に供給する流路を形成する第１外部接続管（３１０）と、圧縮機構から吐出される高圧冷媒をハウジングの外側に導く流路を形成する第２外部接続管（３１２）とを少なくも有し、複数の外部接続管の総数は、偶数であり、
圧縮機構は、可動部材が固定部材に対して旋回することにより、固定部材とともに低圧冷媒を吸入して圧縮して高圧冷媒を吐出するスクロール型の圧縮機構であり、
ハウジングには、ハウジングの内側と外側との間を貫通する複数の貫通孔（３００〜３０３）が設けられ、
固定部材には、複数の孔部（１２８、１２１ａ、１２４、１２９）を形成する複数の孔形成部（１２８ａ、１２１ｂ、１２４ａ、１２９ｂ）が設けられ、
複数の外部接続管は、複数の貫通孔のうち対応する貫通孔内に貫通して固定部材の複数の孔部のうち対応する孔部に嵌め込まれた状態で、ハウジングの軸線方向から視て複数の外部接続管のうちいずれか２つの外部接続管の軸線（Ｔ１〜Ｔ４）がハウジングの軸線（Ｓ）を中心として点対称になるように複数の外部接続管が配置されて、対応する孔部を形成する孔形成部および外部接続管のうちいずれか一方が他方に弾性力を与えることにより、当該孔形成部および外部接続管の間を外部接続管毎に密閉するシール機構を形成していることを特徴とする圧縮機。
【手続補正７】
【補正対象書類名】明細書
【補正対象項目名】００２１
【補正方法】変更
【補正の内容】
【００２１】
請求項８に記載の発明では、筒状に形成されているハウジング（３０）と、
ハウジング内に配置されて、ハウジングに固定されている固定部材（１２）と、固定部材に対して変位して低圧冷媒を吸入して圧縮して高圧冷媒を吐出する可動部材（１１）とを有する圧縮機構（１０）と、
管状に形成されてハウジングの外側と圧縮機構との間を連通する流路をそれぞれ有する複数の外部接続管（３１０〜３１４）と、を備え、
複数の外部接続管は、ハウジングの外側からの低圧冷媒を圧縮機構に供給する流路を形成する第１外部接続管（３１０）と、圧縮機構から吐出される高圧冷媒をハウジングの外側に導く流路を形成する第２外部接続管（３１２）とを少なくも有し、複数の外部接続管の総数は、奇数であり、
圧縮機構は、可動部材が固定部材に対して旋回することにより、固定部材とともに低圧冷媒を吸入して圧縮して高圧冷媒を吐出するスクロール型の圧縮機構であり、
ハウジングには、ハウジングの内側と外側との間を貫通する複数の貫通孔（３００〜３０４）が設けられ、
固定部材には、複数の孔部（１２８、１２１ａ、１２４、１２９、７０）を形成する複数の孔形成部（１２８ａ、１２１ｂ、１２４ａ、１２９ｂ、７０ａ）が設けられ、
複数の外部接続管がハウジングの外側から複数の貫通孔のうち対応する貫通孔に貫通して固定部材の複数の孔部のうち対応する孔部に嵌め込まれた状態で、ハウジングの軸線方向から視て複数の外部接続管の軸線（Ｔ１〜Ｔ５）がハウジングの軸線（Ｓ）を中心とする円周方向に等間隔に並ぶように複数の外部接続管が配置されて、対応する孔部を形成する孔形成部および外部接続管のうちいずれか一方が他方に弾性力を与えることにより、当該孔形成部および外部接続管の間を外部接続管毎に密閉するシール機構を形成していることを特徴とする。
【手続補正８】
【補正対象書類名】明細書
【補正対象項目名】００２３
【補正方法】変更
【補正の内容】
【００２３】
請求項９に記載の発明では、第１外部接続管の軸線（Ｔ１）と第２外部接続管の軸線（Ｔ３）とが９０度以上の角度で交差するように第１外部接続管と第２外部接続管とが配置されていることを特徴とする。
【手続補正９】
【補正対象書類名】明細書
【補正対象項目名】００２６
【補正方法】変更
【補正の内容】
【００２６】
請求項１０に記載の発明では、第１外部接続管の軸線（Ｔ１）と第３外部接続管の軸線（Ｔ４）とが９０度以上の角度で交差するように第１外部接続管と第３外部接続管とが配置されていることを特徴とする。